(57)【要約】【課題】写真などの画像を、経編地上にそのままジャカード柄にて写実的に表現し、糸のほつれが生じず、必要に応じた伸縮性を兼ね備え、生地に安定性があり、装飾性に優れた各種衣料または各種インテリア用の経編地を提供する。【解決手段】任意の画像をジャカード柄にて写実的に表現する経編地Ａにおいて、基布となる地編組織がパワーネット組織であり、ジャカード筬にて導糸される柄糸が編目を形成する。【選択図】図３
0003148514.tif 000002
【実用新案登録請求の範囲】
【請求項１】
任意の画像をジャカード柄にて写実的に表現する経編地において、基布となる地編組織がパワーネット組織であり、ジャカード筬にて導糸される柄糸が編目を形成してなることを特徴とする経編地。
【請求項２】
各種衣料に用いられる、請求項１に記載の経編地。
【考案の詳細な説明】
【技術分野】
【０００１】
本考案は、アウター・インナーなどの各種衣料や、カーテン・タペストリーなどのインテリアに使用され、写真などの画像をそのままジャカード柄にて写実的に表現した経編地に関するものである。
【背景技術】
【０００２】
イメージスキャナで写真などの画像を読み取り、落下板装置を具えるジャカードラッシェル機を用いて、ジャカード柄にて該画像をリアルに柄表現するものが特許文献１に記載されている。
【特許文献１】特開平６−２９９４７号公報
【考案の開示】
【考案が解決しようとする課題】
【０００３】
しかしながら、特許文献１に記載されている経編地は、ジャカード筬により導糸される柄糸を落下板装置を使用してフォールプレートラップさせ、鎖編組織である地編組織に挿入しているため、糸のほつれが生じやすく、また、編地としての安定感に乏しいものであった。  
【０００４】
本考案は、上記に鑑みてなしたものであり、糸のほつれが生じることなく、写真などの画像をそのままジャカード柄にて写実的に表現する経編地を提供するものである。
【課題を解決するための手段】
【０００５】
上記の課題を解決する本考案の経編地は、任意の画像をジャカード柄にて写実的に表現する経編地において、基布となる地編組織がパワーネット組織であり、ジャカード筬にて導糸される柄糸が編目を形成してなることを特徴とする。
【０００６】
上記のように、基布となる地編組織をパワーネット組織とすることで、鎖編組織のようなほつれが生じない。パワーネット組織は、図４の（ｂ）に示すように、１もしくは２コース編成ごとに隣のウエールに移行するため、経編地の編み終わり側からの糸ほつれが出なくなる。更に、ジャカード筬により導糸されジャカード柄を形成する柄糸が、編目を形成するものとすることで、地編組織の編目形成と合わせて２重で編目が形成されるため、経編地全体が安定した生地となる。なお、本考案において写実的とは、写真で撮ったように細かいところまでよく似ているリアルな様子をいう。
【０００７】
また、本考案の経編地は、インナー、アウターを問わず、多岐にわたる各種衣料に用いることができる。
【考案の効果】
【０００８】
上記した本考案によれば、写真などの任意の画像をジャカード柄にて写実的に表現する際に、基布となる地編組織をパワーネット組織とし、ジャカード筬にて導糸される柄糸を編目形成することで、糸のほつれが生じず、生地に安定性があり、ジャカード柄がこれまでになくきれいに表現できる画像取り込み経編地を提供することができる。
【考案を実施するための最良の形態】
【０００９】
次に本考案の実施の形態を図面に示す実施例に基づいて説明するが、本考案は実施例のものには限定されることはなく、実用新案請求範囲を逸脱しない範囲において種々の実施が可能である。
【００１０】
図１は本考案の実施例の経編地に使用された画像を示す平面図、図２は同上の経編地を編成するためのジャカード組織を図示した紋図、図３は図１の画像を編成した同上の経編地を示す平面図である。図４は同上の経編地の編成時のラッピング状態を示す組織図、図５はジャカードによる組織変化を示す組織図である。図６は同上の経編地をインテリアとして使用した略示平面図、図７は本考案の経編地をロングガードルに使用した略示斜視図、図８はＴシャツに本考案の経編地を使用した略示斜視図である。
【００１１】
図１に示す画像１をスキャナーやデジタルカメラなどの媒体を使用したり、インターネットによりダウンロードしたり、ＣＤから読み込んだりして、コンピューター内に画像データとして取り込み、前記データをジャカード柄が編成できるように加工し、この加工された画像データを図２のドラフト紋図で示されるジャカード組織のデータにセットアップし、更にこのセットアップされたデータをジャカード制御編成プログラムに展開する。図２の紋図では、白い部分がジャカード組織の厚地部分２であり、黒い部分が穴地部分３となる。カールマイヤー社製ラッシェル機（ＲＳＪ４／１、２８ゲージ）により前記ジャカード制御編成プログラムを作動させて、図３に示す経編地Ａを編成した。図３でも白い部分がジャカード組織の厚地部分２であり、黒い部分が穴地部分３である。
【００１２】
図４は経編地Ａを構成する糸の組織をそれぞれ示しており、図４の（ａ）は、ジャカード筬により導糸されジャカード柄を形成する柄糸４が、デンビ組織をジャカードの基本組織としていることを示す。図４の（ｂ）は、２枚の地筬により導糸され地編組織を形成する地糸５と地糸６が、パワーネット組織であることを示す。図４の（ｃ）は、地筬により導糸され経編地に伸縮性を付与する弾性糸７が、同一ウエールをジグザグ状に経挿入していることを示す。
【００１３】
この実施例では、柄糸４として４４デシテックスのナイロン糸、地糸５と地糸６として３３デシテックスのナイロン糸、弾性糸７として１５６デシテックスのポリウレタン糸を用いたが、ポリエステル糸やアクリル糸や綿糸やレーヨン糸など任意の糸を用いてもよい。また、柄糸４のジャカードの基本組織は、デンビ組織に限定する必要はなく、編目を形成する組織であれば任意の組織を採用できる。また、弾性糸７の組織も図４の（ｃ）に示すものに限定する必要はなく、隣のウエールに移行してもよく、編目を形成してもよい。なお、経編地に伸縮性が必要ない場合は、弾性糸７を用いなくともよい。
【００１４】
ジャカード柄を形成する柄糸４が、ジャカードの作用により組織変化する様子を図５に示す。図５の（ａ）は、ジャカード作用が働いていない基本組織の状態であり、デンビ組織で薄地の状態である。図５の（ｄ）は、矢印で表すように、柄糸４が右側のウエールに移行するときにジャカード作用により更に右側のウエールに移行した状態であり、コード組織で厚地の状態となる。図２及び図３の厚地部分２は、この状態が続いている部分である。図５の（ｅ）は、矢印で表すように、柄糸４が左側のウエールに移行するときにジャカード作用により右側の元のウエールに戻った状態であり、鎖編組織で穴地状態となる。図２及び図３の穴地部分３は、この状態が続いている部分である。
【００１５】
本考案により編成された経編地Ａは、図６に示すように、額８になどに入れて使用しても良いし、テーブルクロスやカーテンなどインテリアとしても使用できる。また、図７に示すように、ロングガードルに使用するなど各種インナーに使用でき、また、図８に示すように、Ｔシャツに使用するなど各種アウターにも本考案の経編地Ａを使用できる。
【産業上の利用可能性】
【００１６】
本考案は、アウター・インナーなどの各種衣料や、カーテン・タペストリーなどの各種インテリアに多様に利用できる。
【図面の簡単な説明】
【００１７】
【図１】本考案の経編地に使用する画像を示す平面図である。
【図２】本考案の経編地のジャカード紋図の拡大図である。
【図３】本考案の経編地を示す平面図である。
【図４】本考案の経編地のラッピング状態を示す組織図である。
【図５】ジャカードによる組織変化を示す組織図である。
【図６】本考案の経編地を額に入れた使用例を示す略示平面図である。
【図７】本考案の経編地のロングガードルでの使用例を示した略示斜視図である。
【図８】本考案の経編地のＴシャツでの使用例を示した略示斜視図である。
【符号の説明】
【００１８】
Ａ…経編地、１…画像、２…厚地部分、３…穴地部分、４…柄糸、
５…地糸、６…地糸、７…弾性糸、８…額。
【図１】
0003148514.tif 000003
【図２】
0003148514.tif 000004
【図３】
0003148514.tif 000005
【図４】
0003148514.tif 000006
【図５】
0003148514.tif 000007
【図６】
0003148514.tif 000008
【図７】
0003148514.tif 000009
【図８】
0003148514.tif 000010